(57)【要約】【課題】経路探索時の交通機関の停留地の名称の入力を容易にする。【解決手段】経路探索システムは、出発地から目的地までの交通機関を利用した移動経路の探索を行う経路探索サーバ、及びプリント端末を備える。前記経路探索サーバは、複数の停留地の各々について、名称を含む停留地情報及び停留地画像を記憶する停留地情報記憶部と、前記プリント端末からカード画像を要求された停留地について、前記停留地情報を示す二次元コードと前記停留地画像とを合成してカード画像を生成するカード画像生成部と、前記カード画像を前記プリント端末へ送信する画像送信部と、を有する。前記プリント端末は、前記経路探索サーバから受信した前記カード画像を用紙にプリントし、停留地カードを作製する。【選択図】図１
2020125993.tif 000002
【特許請求の範囲】
【請求項１】
出発地から目的地までの交通機関を利用した移動経路の探索を行う経路探索サーバ、及びプリント端末を備える経路探索システムであって、
前記経路探索サーバは、
複数の停留地の各々について、名称を含む停留地情報及び停留地画像を記憶する停留地情報記憶部と、
前記プリント端末からカード画像を要求された停留地について、前記停留地情報を示す二次元コードと前記停留地画像とを合成してカード画像を生成するカード画像生成部と、
前記カード画像を前記プリント端末へ送信する画像送信部と、
を有し、
前記プリント端末は、前記経路探索サーバから受信した前記カード画像を用紙にプリントし、停留地カードを作製することを特徴とする経路探索システム。
【請求項２】
前記プリント端末は、前記停留地カードを作製する停留地の指示を受け付ける操作部を有し、指示された停留地のカード画像を前記経路探索サーバに対して要求することを特徴とする請求項１に記載の経路探索システム。
【請求項３】
前記プリント端末は、前記経路探索サーバに対し、出発地から目的地までの交通機関を利用した移動経路の探索要求を送信し、前記経路探索サーバから探索結果を受信した後、前記経路探索サーバに対し、前記出発地及び前記目的地となる停留地のカード画像を要求することを特徴とする請求項１に記載の経路探索システム。
【請求項４】
前記カード画像生成部は、前記出発地の停留地画像及び前記目的地の停留地画像を合成して前記カード画像を生成し、
前記プリント端末は、前記出発地の停留地画像及び前記目的地の停留地画像を含む１枚の停留地カードを作製することを特徴とする請求項３に記載の経路探索システム。
【請求項５】
前記カード画像生成部は、ユーザ端末からカード画像を要求された停留地について、前記停留地情報を示す二次元コードと前記停留地画像とを合成してカード画像を生成し、
前記画像送信部は、前記カード画像を前記ユーザ端末へ送信し、
前記プリント端末は、前記ユーザ端末から転送された前記カード画像を用紙にプリントし、停留地カードを作製することを特徴とする請求項１乃至３のいずれか１項に記載の経路探索システム。
【請求項６】
前記経路探索サーバは、前記停留地カードにプリントされた前記二次元コードを読み取って出発地又は目的地を設定したユーザ端末から移動経路の探索要求を受信し、探索結果を前記ユーザ端末へ送信することを特徴とする請求項１乃至５のいずれか１項に記載の経路探索システム。
【請求項７】
前記停留地情報記憶部は、１つの停留地について複数の停留地画像を記憶し、
前記カード画像生成部は、前記複数の停留地画像からランダムに停留地画像を選択して、前記カード画像を生成することを特徴とする請求項１乃至６のいずれか１項に記載の経路探索システム。
【請求項８】
請求項１乃至７のいずれか１項に記載のプリント端末で作製され、前記停留地情報を示す二次元コードと前記停留地画像とがプリントされた停留地カード。
【発明の詳細な説明】
【技術分野】
【０００１】
本発明は、経路探索システム及び停留地カードに関する。
【背景技術】
【０００２】
サーバに交通機関の路線や運行時刻データを蓄積し、所望の出発駅から目的駅までの経路（乗車候補列車）を探索し、案内する乗換案内サービスが知られている。経路の探索結果として、早く目的地まで到着する経路、運賃が安くすむ経路、又は、乗換回数が少ない経路等が出力される。
【０００３】
利用者がスマートフォン等を使用して経路を探索する場合、タッチパネルを操作して出発駅や目的駅の駅名を入力する。外国人観光客や外国人労働者向けに、英語等の外国語表記による乗換案内サービスが提供されているが、この場合、駅名をアルファベット等で入力する必要がある。しかし、外国人にとって日本の駅名は聞きなれないものが多く、駅名の入力に手間がかかっていた。
【先行技術文献】
【特許文献】
【０００４】
【特許文献１】特開２００２−１６９９１５号公報
【発明の概要】
【発明が解決しようとする課題】
【０００５】
本発明は、上記従来の実状に鑑みてなされたものであり、経路探索時の交通機関の停留地の名称の入力が容易な経路探索システム及び停留地カードを提供することを課題とする。
【課題を解決するための手段】
【０００６】
本発明による経路探索システムは、出発地から目的地までの交通機関を利用した移動経路の探索を行う経路探索サーバ、及びプリント端末を備える経路探索システムであって、前記経路探索サーバは、複数の停留地の各々について、名称を含む停留地情報及び停留地画像を記憶する停留地情報記憶部と、前記プリント端末からカード画像を要求された停留地について、前記停留地情報を示す二次元コードと前記停留地画像とを合成してカード画像を生成するカード画像生成部と、前記カード画像を前記プリント端末へ送信する画像送信部と、を有し、前記プリント端末は、前記経路探索サーバから受信した前記カード画像を用紙にプリントし、停留地カードを作製するものである。
【０００７】
本発明の一態様において、前記プリント端末は、前記停留地カードを作製する停留地の指示を受け付ける操作部を有し、指示された停留地のカード画像を前記経路探索サーバに対して要求する。
【０００８】
本発明の一態様において、前記プリント端末は、前記経路探索サーバに対し、出発地から目的地までの交通機関を利用した移動経路の探索要求を送信し、前記経路探索サーバから探索結果を受信した後、前記経路探索サーバに対し、前記出発地及び前記目的地となる停留地のカード画像を要求する。
【０００９】
本発明の一態様において、前記カード画像生成部は、前記出発地の停留地画像及び前記目的地の停留地画像を合成して前記カード画像を生成し、前記プリント端末は、前記出発地の停留地画像及び前記目的地の停留地画像を含む１枚の停留地カードを作製する。
【００１０】
本発明の一態様において、前記カード画像生成部は、ユーザ端末からカード画像を要求された停留地について、前記停留地情報を示す二次元コードと前記停留地画像とを合成してカード画像を生成し、前記画像送信部は、前記カード画像を前記ユーザ端末へ送信し、前記プリント端末は、前記ユーザ端末から転送された前記カード画像を用紙にプリントし、停留地カードを作製する。
【００１１】
本発明の一態様において、前記経路探索サーバは、前記停留地カードにプリントされた前記二次元コードを読み取って出発地又は目的地を設定したユーザ端末から移動経路の探索要求を受信し、探索結果を前記ユーザ端末へ送信する。
【００１２】
本発明の一態様において、前記停留地情報記憶部は、１つの停留地について複数の停留地画像を記憶し、前記カード画像生成部は、前記複数の停留地画像からランダムに停留地画像を選択して、前記カード画像を生成する。
【００１３】
本発明の停留地カードは、上記プリント端末で作製され、前記停留地情報を示す二次元コードと前記停留地画像とがプリントされたものである。
【発明の効果】
【００１４】
本発明によれば、交通機関を用いた経路探索の際に停留地の名称を容易に入力できる。
【図面の簡単な説明】
【００１５】
【図１】本発明の実施形態に係る経路探索システムの概略図である。
【図２】図２ａ、図２ｂはプリント端末の表示画面の例を示す図である。
【図３】図３ａ〜図３ｃは駅カードの例を示す図である。
【図４】ユーザ端末の表示画面の例を示す図である。
【図５】駅カードの読み取りの様子を示す図である。
【図６】サーバの機能構成を示すブロック図である。
【図７】プリント端末のハードウェア構成図である。
【図８】ユーザ端末のハードウェア構成図である。
【図９】ユーザ端末の機能構成を示すブロック図である。
【図１０】駅カードの製造方法を説明するフローチャートである。
【図１１】駅カードを用いた経路探索方法を説明するフローチャートである。
【発明を実施するための形態】
【００１６】
以下、本発明の実施の形態を図面に基づいて説明する。
【００１７】
図１は、本発明の実施形態に係る経路探索システムの概略図である。図１に示すように、経路探索システムは、経路探索サーバ１（以下、サーバ１と記載する）と、プリント端末２と、ユーザ端末４とを備える。ユーザ端末４は、サーバ１と通信可能な機器であり、例えば、スマートフォンやタブレット端末である。プリント端末２は、プリンタを備え、サーバ１と通信可能なものであり、例えば、街中に設置されている写真プリント機や証明写真撮影装置である。サーバ１及びプリント端末２は、後述する駅カード３を製造するカード製造システムでもある。
【００１８】
サーバ１は、インターネットを介してアクセスしてきたプリント端末２及びユーザ端末４に対して、指定された出発地から目的地までの経路を探索する経路探索サービスを提供する。そのため、ユーザは、プリント端末２で、経路探索を行うことができる。例えば、プリント端末２のタッチパネル２１には、図２ａに示すような検索画面が表示される。ユーザは、タッチパネル２１を操作し、出発地、目的地の駅名を入力する。ボタンＢ１を押すことで路線図が表示され、路線図の駅名を選択することでも、駅名を入力することが可能となっている。
【００１９】
探索ボタンＢ２を押すと、プリント端末２は、サーバ１に対し、出発地及び目的地や、出発時刻等を含む探索条件を送信する。サーバ１は、探索条件に従って、鉄道を用いて移動する場合の移動経路を検索し、探索結果をプリント端末２へ送信する。図２ｂに示すように、プリント端末２は、サーバ１から受信した探索結果を表示する。
【００２０】
ユーザが、探索結果表示画面の駅カードプリントボタンＢ３を押すと、プリント端末２は、サーバ１から、出発地及び目的地の駅カード用のカード画像を取得する。プリント端末２は、カード画像を用紙にプリントし、駅カード３を製造する。
【００２１】
例えば、図２ｂに示すように、出発地が新宿駅、目的地が渋谷駅である場合、図３ａに示すような新宿駅の駅カード３と、図３ｂに示すような渋谷駅の駅カード３がプリント出力される。駅カード３には、駅名及び駅周辺の名所等の画像がプリントされる。さらに、駅情報を示す二次元コード３０がプリントされている。駅情報は、駅名、通過する路線、駅番号等の情報を含む。
【００２２】
２つの駅のカード画像を、ミシン目が形成された１枚の用紙にプリントして出力し、ユーザがミシン目に沿って切り離して２枚の駅カードとなるようにしてもよい。また、図３ｃに示すように、１枚の用紙に２つの駅のカード画像をプリントしてもよい。この場合、各駅に対応する二次元コードをプリントしてもよいし、２つの駅の駅情報を含む１個の二次元コード３０ａをプリントしてもよい。
【００２３】
プリント端末２で経路探索を行わずに、単に駅カード３のプリント出力だけ行えるようにしてもよい。この場合、例えば、プリント端末２は、路線図や駅リストをタッチパネル２１に表示し、ユーザから駅の選択を受け付ける。プリント端末２は、選択された駅のカード画像をサーバ１から取得し、駅カード３をプリント出力する。
【００２４】
駅カード３の入手後、ユーザは、ユーザ端末４を用いて経路探索を行う際に、駅カード３を利用して駅名の入力を行うことができる。ユーザ端末４の経路探索機能を起動すると、図４に示すように、ユーザ端末４のタッチパネル４１に検索画面が表示される。ユーザがカメラボタンＢ１１又はＢ１２を選択すると、ユーザ端末４のカメラが起動する。
【００２５】
図５に示すように、ユーザは、ユーザ端末４のカメラで、駅カード３の二次元コード３０を撮影する。ユーザ端末４は、二次元コードを読み取って駅情報を取得し、出発駅又は到着駅の駅名を自動入力する。図３ｃに示す二次元コード３０ａを読み取った場合に、２つの駅が出発駅と到着駅に一度に入力されてもよい。出発駅と到着駅とを入れ替える入れ替えボタンが設けられている場合は、出発駅と到着駅とを容易に入れ替えることができる。
【００２６】
出発駅及び到着駅の入力後、ユーザは、出発日時、到着日時等を指定し、探索ボタンＢ１３を押す。ユーザ端末４は、サーバ１に対し、出発地及び目的地や、出発時刻等を含む探索条件を送信する。サーバ１は、探索条件に従って、鉄道を用いて移動する場合の移動経路を検索し、探索結果をユーザ端末４へ送信する。ユーザ端末４は、サーバ１から受信した探索結果を表示する。
【００２７】
このように、本実施形態によれば、駅カード３の二次元コード３０をユーザ端末４のカメラで撮影することで、経路検索画面に出発駅や到着駅の駅名を容易に入力できる。駅カード３には、駅周辺の名所等の画像もプリントされているため、どの駅のカードであるか分かり易く、また、観光客にとっては日本旅行の記念のお土産にもなる。
【００２８】
ユーザ端末４を用いてサーバ１から駅カード用のカード画像を取得し、画像データをプリント端末２に転送して駅カード３をプリント出力してもよい。例えば、ユーザ端末４は、経路探索を行い、探索処理後に出発地や目的地のカード画像をサーバ１から取得する。あるいはまた、ユーザ端末４は、経路探索を行わずに、路線図や駅リストをサーバ１から取得してタッチパネル４１に表示し、ユーザから駅の選択を受け付け、ユーザが選択した駅の駅カード用のカード画像をサーバ１から取得する。
【００２９】
次に、経路探索システムを構成するサーバ１、プリント端末２、ユーザ端末４についてそれぞれ説明する。
【００３０】
図６に示すように、サーバ１は、データベースとして、経路情報記憶部１０Ａ及び駅情報記憶部１０Ｂを有する。また、サーバ１は、経路探索部１１、カード画像生成部１２及び画像送信部１３を有する。
【００３１】
経路探索部１１、カード画像生成部１２及び画像送信部１３はハードウェアで構成してもよいし、ソフトウェアで構成してもよい。例えば、各部は、コンピュータのＣＰＵ、ＲＡＭ、ＲＯＭなどで構成され、ＲＡＭやＲＯＭ、ハードディスクや半導体メモリ等の記録媒体に記憶されたプログラムが動作することにより実現される。
【００３２】
経路情報記憶部１０Ａは、出発地から目的地までの移動経路及び利用する交通機関を特定するために必要な経路情報を格納する。例えば、鉄道、バスなどの交通機関の路線、時刻表、料金、乗換可能駅などを含む。
【００３３】
駅情報記憶部１０Ｂは、各駅について、駅名、駅番号、乗り入れている路線名、写真データ（画像データ）を格納する。例えば駅番号は、英字と数字から構成され、駅を識別するものである。複数の路線がある駅には、複数の駅番号が割り当てられている場合がある。画像データは、駅舎や駅周辺の名所等を撮影した駅画像である。１つの駅に対し、複数の駅画像が準備されていてもよい。
【００３４】
経路探索部１１は、プリント端末２又はユーザ端末４からの探索要求に応じ、探索要求に含まれる探索条件に従って、移動経路を１つ以上検索（探索）する。経路探索部１１は、探索結果を示す画面データを生成し、プリント端末２又はユーザ端末４へ送信する。
【００３５】
カード画像生成部１２は、プリント端末２から、探索結果内の出発駅や到着駅のカード画像が要求されると、要求に応じて、カード画像を生成する。例えば、カード画像生成部１２は、駅情報記憶部１０Ｂから、対応する駅の駅情報を取り出して二次元コードに変換し、駅画像に二次元コードを合成して、カード画像を生成する。駅画像が複数ある場合は、１つの駅画像がランダムに選択される。
【００３６】
カード画像生成部１２は、経路探索部１１が経路探索を行わなかった場合でも、プリント端末２からの要求に応じて、カード画像を生成する。また、カード画像生成部１２は、ユーザ端末４からの要求に応じて、カード画像を生成する。
【００３７】
画像送信部１３は、生成されたカード画像をプリント端末２又はユーザ端末４へ送信する。
【００３８】
図７に示すように、プリント端末２は、制御部２０、タッチパネル２１、プリンタ２２、通信部２３及び記憶部２４を有する。
【００３９】
タッチパネル２１は、検索画面等を表示する表示部、及びユーザからの入力を受け付ける操作部の機能を有する。プリンタ２２は、例えば熱転写式又はインクジェット式のカラープリンタである。通信部２３は、インターネット等のネットワークを介してサーバ１と通信を行う。また、通信部２３は、無線通信機能を有し、ユーザ端末４と通信を行うことができる。
【００４０】
制御部２０は、ハードウェアで構成してもよいし、ソフトウェアで構成してもよい。例えば、制御部２０は、コンピュータのＣＰＵ、ＲＡＭ、ＲＯＭなどで構成され、ＲＡＭやＲＯＭ、ハードディスクや半導体メモリ等の記憶部２４に記憶されたプログラムが動作することにより実現される。
【００４１】
プリント端末２は、経路探索モードと駅カード作製モードの２つの動作モードを有する。ユーザにより経路探索モードが選択された場合、制御部２０は、通信部２３を介してサーバ１にアクセスし、検索画面を取得してタッチパネル２１に表示する。検索画面の探索ボタンＢ２が押されると、制御部２０は、探索条件を含む探索要求をサーバ１へ送信する。制御部２０は、サーバ１から経路探索結果を受信し、タッチパネル２１に表示する。
【００４２】
探索結果表示画面の駅カードプリントボタンＢ３が押されると、制御部２０は、探索結果の出発地及び目的地の駅の駅カード用のカード画像をサーバ１に要求する。制御部２０は、サーバ１からカード画像を取得すると、プリンタ２２を制御し、カード画像を用紙にプリントして、駅カード３をプリント出力させる。
【００４３】
ユーザにより駅カード作製モードが選択された場合、制御部２０は、ユーザから、プリント端末２で駅を選択するか、又はユーザ端末４からカード画像を転送するかの選択を受け付ける。
【００４４】
プリント端末２での駅選択をユーザが選んだ場合、制御部２０は、路線図や駅リストをタッチパネル２１に表示する。路線図や駅リストの情報は記憶部２４に格納されていてもよいし、サーバ１から取得してもよい。制御部２０は、ユーザが選択した駅の駅カード用のカード画像をサーバ１に要求する。制御部２０は、サーバ１からカード画像を取得すると、プリンタ２２を制御し、カード画像を用紙にプリントして、駅カード３をプリント出力させる。
【００４５】
ユーザが、ユーザ端末４からのカード画像転送を選択した場合、制御部２０は、通信部２３を介してユーザ端末４からカード画像を取得する。制御部２０は、ユーザ端末４からカード画像を取得すると、プリンタ２２を制御し、カード画像を用紙にプリントして、駅カード３をプリント出力させる。
【００４６】
図８に示すように、ユーザ端末４は、制御部４０、タッチパネル４１、撮影部４２、通信部４３及び記憶部４４を有する。タッチパネル４１は、検索画面等を表示し、ユーザからの入力を受け付ける。撮影部４２は、デジタルカメラである。通信部４３は、無線通信機能を有する。
【００４７】
制御部４０は、ハードウェアで構成してもよいし、ソフトウェアで構成してもよい。例えば、制御部４０は、コンピュータのＣＰＵ、ＲＡＭ、ＲＯＭなどで構成され、ＲＡＭやＲＯＭ、半導体メモリ等の記憶部４４に記憶されたプログラムが動作することにより実現される。
【００４８】
図９に示すように、制御部４０は、コード読取部４０１、探索要求部４０２、画像取得部４０３、画像転送処理部４０４及び画像記憶部４０５の機能を有する。
【００４９】
コード読取部４０１は、撮影部４２が駅カード３の二次元コード３０を撮影すると、二次元コード３０を読み取り、駅情報を取得する。
【００５０】
探索要求部４０２は、コード読取部４０１が取得した駅情報に基づいて、経路探索を行う出発駅や到着駅の駅名を入力し、サーバ１に対し、出発地及び目的地や、出発時刻等を含む探索条件を送信する。サーバ１から受信した探索結果はタッチパネル４１に表示される。
【００５１】
画像取得部４０３は、探索処理後に、出発地や目的地のカード画像をサーバ１から取得する。あるいはまた、画像取得部４０３は、経路探索を行わずに、路線図や駅リストをサーバ１から取得してタッチパネル４１に表示し、ユーザから駅の選択を受け付け、ユーザが選択した駅の駅カード用のカード画像をサーバ１から取得する。カード画像は、画像記憶部４０５により記憶部４４に格納される。
【００５２】
画像転送処理部４０４は、通信部４３を介して、駅カード用のカード画像をプリント端末２へ転送する。
【００５３】
次に、駅カードの製造方法を図１０に示すフローチャートを用いて説明する。
【００５４】
プリント端末２を用いて経路探索をする場合（ステップＳ１＿Ｙｅｓ）、ユーザはタッチパネル２１を操作して出発地及び目的地の駅名を入力する（ステップＳ２）。駅名の入力には、路線図等を用いることができる。また、出発時刻や到着時刻等も入力できる。
【００５５】
プリント端末２は、サーバ１に対し、出発地及び目的地や、出発時刻等を含む探索条件を送信する（ステップＳ３）。サーバ１は、探索条件に従って、鉄道を用いて移動する場合の移動経路を検索し、探索結果をプリント端末２へ送信する。プリント端末２は、サーバ１から受信した探索結果を表示する。
【００５６】
ユーザからの指示に応じて、プリント端末２は、サーバ１から、出発地及び目的地の駅カード用のカード画像を取得する（ステップＳ４）。
【００５７】
経路探索を行わず（ステップＳ１＿Ｎｏ）、ユーザ端末４からカード画像を転送する場合（ステップＳ５＿Ｙｅｓ）、ユーザは、プリント端末２とユーザ端末４との無線接続を確立し、ユーザ端末４からプリント端末２へカード画像を転送する（ステップＳ６）。
【００５８】
ユーザ端末４からカード画像を転送しない場合（ステップＳ５＿Ｎｏ）、ユーザは、プリント端末２を操作し、路線図等から駅カードを製造する駅を選択する（ステップＳ７）。プリント端末２は、サーバ１から、選択された駅の駅カード用のカード画像を取得する（ステップＳ８）。
【００５９】
プリント端末２は、カード画像を用紙にプリントし、駅カード３を製造する（ステップＳ９）。
【００６０】
次に、駅カード３及びユーザ端末４を用いて経路探索する方法を、図１１に示すフローチャートを用いて説明する。
【００６１】
まず、ユーザは、ユーザ端末４のタッチパネル４１に表示された検索画面を操作して撮影部４２を起動し、駅カード３の二次元コード３０を読み取る（ステップＳ１１）。
【００６２】
ユーザ端末４は、読み取った二次元コード３０から駅情報を取得し、出発地や目的地の駅名を入力する（ステップＳ１２）。また、ユーザは、出発時刻や到着時刻等も入力できる。
【００６３】
ユーザ端末４は、サーバ１に対し、出発地及び目的地や、出発時刻等を含む探索条件を送信する（ステップＳ１３）。サーバ１は、探索条件に従って、鉄道を用いて移動する場合の移動経路を検索し、探索結果をユーザ端末４へ送信する。ユーザ端末４は、サーバ１から受信した探索結果を表示する（ステップＳ１４）。
【００６４】
このように、本実施形態によれば、駅カード３の二次元コード３０をユーザ端末４のカメラで撮影することで、経路検索画面に出発駅や到着駅の駅名を容易に入力できる。駅カード３には、駅画像もプリントされているため、どの駅のカードが分かり易く、また、記念品にもなる。
【００６５】
観光スポットのある複数の駅の駅カードをセット販売することができる。駅カードセットを購入した観光客は、ユーザ端末４で駅カードの二次元コードを読み取ることで、駅名を自動入力し、観光スポット間の移動経路を簡単に探索することができる。
【００６６】
あるいはまた、ホテル等の宿泊施設が、最寄駅の駅カードを予め多数作製しておき、宿泊客に配布してもよい。宿泊客は、駅カードの二次元コードを読み取ることで、宿泊施設から出かけるときや、宿泊施設に戻るときなどに、最寄駅の駅名を簡単に探索画面に入力することができる。
【００６７】
上記実施形態では、鉄道の駅名を入力する例について説明したが、鉄道の駅に限定されず、例えば、バスの停留所、飛行機が離発着する空港、船舶が寄港する港など、様々な交通機関の停留地の名称の入力に適用できる。サーバ１には、駅、バス停、空港、港などの各停留地について、名称や交通機関に関する停留地情報、停留地周辺の名所等を撮影した停留地画像等を格納する停留地情報記憶部が設けられる。プリント端末２は、停留地カードをプリント出力する。
【００６８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６９】
１  経路探索サーバ
２  プリント端末
３  駅カード（停留地カード）
４  ユーザ端末
１０Ａ  経路情報記憶部
１０Ｂ  駅情報記憶部（停留地情報記憶部）
１１  経路探索部
１２  カード画像生成部
１３  画像送信部
２１  タッチパネル（操作部）
３０  二次元コード
【図１】
2020125993.tif 000003
【図２】
2020125993.tif 000004
【図３】
2020125993.tif 000005
【図４】
2020125993.tif 000006
【図５】
2020125993.tif 000007
【図６】
2020125993.tif 000008
【図７】
2020125993.tif 000009
【図８】
2020125993.tif 000010
【図９】
2020125993.tif 000011
【図１０】
2020125993.tif 000012
【図１１】
2020125993.tif 000013